(57)【要約】      （修正有）【課題】平面状の長方形シートを原材料として、ヒトがかぶっても解けず、平面に折りたたみ可能で、かつ、原材料の長方形シートまで可逆的に戻すことのできる折り紙帽子を提供する。【解決手段】折り紙帽子は、帽子形状のひさし部と前頭部とにあたる部位を、折り紙細工を用いて中割折の折り返し部からなる三角形の重ね構造とし、その端部を折り込み構造とすることで、新たな素材を付加することなく補強と展開防止機能を持たせた。【選択図】図４
0003209564.tif 000002
【実用新案登録請求の範囲】
【請求項１】
平面状の長方形シートから折り紙細工で作成された帽子形状体において、ひさし部および前頭部に相当する部分に、新たな素材を付加することなく折り紙細工を用いて補強と展開防止機能を持たせた、ヒトがかぶっても解けない折り紙帽子。
【考案の詳細な説明】
【技術分野】
【０００１】
帽子は人間の頭部に装着するものであり、頭部の保護やフアッションと同時に、野球チームのヘルメットの「がんばろう日本」のように、メッセージ性をもたせることができる。その帽子にメッセージ性をもたせる際に、帽子が二次元の平面状シートから製造できれば、そのシートに二次元印刷を施すだけで、容易に任意のメッセージ性をもたせることができる。本考案が対象とする折り紙帽子は、このような任意のメッセージ性の付与に友好である。また、帽子は頭部の形状に合わせるために、装着時には三次元構造を取る必要があり、そのままでは、保管や輸送の際に大きな空間を締めることなる。本考案が対象とする折り紙帽子は、作成原紙である一枚の平面状シートに戻せ、かつ平面状に折りたたむことが可能であり、この保管時や輸送時の問題を大幅に小さくすることができる。
【背景技術】
【０００２】
帽子形状を一枚の長方形のシートを原材料として折る折り紙の折り方としては、箱の折り紙の派生として、図1の1)から11)の手順により作成するものが知られている。この手法で適当な大きさの長方形シートから発すれば、一応頭にかぶることができる帽子状形状を得ることができることが知られており、インターネットなどでも公開されている
【非特許文献１】。しかし、図1に示した手法で作成される従来の帽子形状折り紙は、帽子に相当させるとひさしとそれを有する前頭部に当たる部分が、折り紙の他の部分から機械的拘束を受けておらず、シート材質の屈曲維持力だけで形状が保持されているため、力のかからない帽子状飾りとしては用いることができるが、実際に帽子として被ると短時間で前面が解けてしまう。もちろん、前面をのりなどで接着するなど、他の固定方法を併用すれば帽子としての形状維持はできるが、一枚のシートに戻せる可逆性を失うだけでなく、異物質の仕様による使用後のリサイクルに問題が生じる。そのため、折り紙の持つ特長が失われ、広く使用されるに至っていなかった。
【先行技術文献】
【非特許文献】
【０００３】
【非特許文献１】油井康寿、“かぶれる帽子折り紙”、［online］、平成27年４月25日、Youtube、［平成28年10月27日検索］、インターネット＜URL： https://www.youtube.com/watch?v=vx5ZIhpjFDU＞
【考案の概要】
【考案が解決しようとする課題】
【０００４】
本考案は、従来からある帽子状形状の折り紙に対して帽子としての着用時にひさしと前頭部が解けることなく形状を保持するために、接着剤やテープ、ステープラー等の異物を用いることなく、折り紙細工のみでひさしと前頭部の強度強化および形状の保持を施したものであり、実際に被って長時間使用できる折り紙帽子を提供するものである。折り紙帽子であるから、印刷可能な長方形単一シートからの作成、原シートへの回復の可逆性、平面状折りたたみ可能性も、当然確保された折りたたみ可能な帽子となる。
【課題を解決するための手段】
【０００５】
図2は従来の帽子状折り紙を上下逆さまに見たものである。従来の帽子状折り紙には図1の9)および10)の手順の段階で中割り折りによって折り返された図2の直角台形ADECと三角形ABCからなる部分が左右にある。その様子は図2に示してある。本考案の折り紙帽子を作成するには、この五角形と三角形の部分を重ねたまま、図3.の12)に谷折り線を示すように、辺ACを辺ADに重なるように谷折りする。これにより図3.の13)の形状となるが。そこで、頂点Eで張り出した部分を山折りで折込み、頂点Dで張り出した部分は谷折りで折り出す。これにより図3.の14)が得られる。頂点Eを折り込んだことによって生じた新たな頂点Fを、頂点Dの折出しにより新たに生じた頂点Gおよび頂点Dとのあいだに形成された二重の辺DGの二重の隙間に図3の15)のように挿入する。これらの手順を左右の中割り折りの折り返し部に施すことにより、ひさしと前頭部が解けることのない折り紙帽子となる。
【０００６】
本考案の折り紙帽子の最終的形状を図4に示す。ひさし部にある三角形GDHは辺GDのみを開口部とする二枚重ねになっており、その二枚の間に頂点Fが挿入されることで固定され解けることがない。また、ABHGICの部分が従来のものより二重に重なっているために前頭部の強度も増している。さらにこのABHGIC の中で三角形ABCの部分は装着時に人間の前頭部により前に押される力を受けるため、帽子の構造をより安定に保つ役割を果たしている。
【考案の効果】
【０００７】
本考案により、二次元の平面のシートを材料にして三次元形状を与えつつ、可逆的にかつ平面状に折りたたむことが可能という折り紙の特長を保持しつつ人体に安定して装着可能な帽子を提供することができる。すなわち、従来の帽子形状折り紙は、折り紙の特長を活かしながらも、容易に解け人体に安定して装着することができなかった。一方この考案の帽子は、より堅牢な構造となり、人体への長時間の装着ができる。図5、図6  図7の写真は、左が従来の帽子型折り紙で大人の頭に装着した直後のもの、右が本考案の折り紙帽子で大人の頭に8時間装着したあとのもので、図5は正面からの写真、図6は側面からの写真、図7は上下逆転させた写真であり、従来の帽子型折り紙と異なり安定した長時間の装着が可能であることがわかる。
【図面の簡単な説明】
【０００８】
【図１】図1は長方形のシートから作成する従来帽子状折り紙の手順を1)から11)の順で表したものである。
【図２】図2は、従来の帽子状折り紙を転置した図を示している。また図2の中で、本校案にかかわる折り紙上の点A,B,C,D,Eを示してある。
【図３】図3は、本考案の作成手順を12)から15)の順で示してある。
【図４】図4は、本校案の折り紙帽子を上下転置した視点で示した図である。頂点Fは辺DGを開口部とする二重の三角形DGHの開口部DGから三角形の内側に挿入されていることを示している。
【図５】図5は写真を用いて左右に従来の帽子状折り紙と、本考案の折り紙帽子の装着後の状態を比較したもののひとつである。図5は正面からの写真であり、向かって左が従来の帽子状折り紙、右が本考案の折り紙帽子である。
【図６】図６も写真を用いて左右に従来の帽子状折り紙と、本考案の折り紙帽子の装着後の状態を比較したもののひとつである。図６は側面からの写真であり、向かって左が従来の帽子状折り紙、右が本考案の折り紙帽子である。
【図７】図７も写真を用いて左右に従来の帽子状折り紙と、本考案の折り紙帽子の装着後の状態を比較したもののひとつである。図７は上下転置した状態での写真であり、向かって左が従来の帽子状折り紙、右が本考案の折り紙帽子である。
【図８】図8には写真を用いて、印刷したA3版の紙から帽子を作成したものを示してある。写真の向かって右手が印刷を施した済であり、向かって左手がそれを原材料に作成した本考案の折り紙帽子である。
【図９】図9は本考案の折り紙帽子の展開図である。
【図１０】図１０には、プラスチックを原材料として用いた本考案の折り紙帽子を写真を用いて示してある。
【図１１】図１１には、折り紙帽子の一部に接合を用いた例として、帽子でいうなら前頭部の左右に図11のJのようにステープラーで補強したものであり、それを二次元の平面状に折りたたんだ招待である。
【図１２】図12は、あらかじめ撥水性塗装を施した紙により作成した本考案の折り紙帽子に水シャワーをかけた直後の様子を写真で表したものであり、図中のKがはじかれた水滴の代表的なものである。
【考案を実施するための形態】
【０００９】
A3サイズ以上の長方形で折り曲げ加工可能な平面のシートを原材料とする。シートは紙が好ましいが、プラスチックのシート、不織布、布、金属シートなど両方向への折り曲げや中割り折りのような折り紙加工が可能な物質ならば原材料として用いることができる。必要ならば、この原材料に平面の状態で任意の二次元印刷を施す。また必要ならば、原材料に撥水加工を施し折り紙帽子に撥水性をもたせることや、同じく原材料に蛍光処理を施し折り紙帽子に蛍光性をもたせることができる。この原材料シートをまず、図1の1)から図1の11)の手順で従来の帽子状折り紙とする。本考案では、さらに図3の12)から図3の15)に示した手順で前頭面およびひさし部の補強と、端部の挿入による解け防止を組み込み、これを左右の前頭部に施して図4にいたる。これにより、可逆的に折りたたみ可能な折り紙の特長を活かしつつ人体頭部に装着することのできる帽子となる。この折り紙帽子が完成した後に、帽子に色彩、撥水性、蛍光性などを与える塗工を加えて問題はない。また初期原紙への可逆性を放棄して、重なり合った部分に接着や接合を施すことも可能であり、その場合も帽子としての装着性および平面への折りたたみ可能性は維持される。
【実施例１】
【００１０】
原材料の紙としてA3版の印刷用紙を準備し、それに任意の印刷を施す。これを図1の1)から11)の手順および、図3の12)から15)の手順で折り紙細工をほどこし図4の状態にする。図8に写真で示す右側のものが、印刷を施した原紙であり、図8に写真で示す左側のものが本稿案による折り紙帽子である。また、その際の展開図は図9のようになっている。人体の頭部にかぶるものとしては、原紙はA4版からB3版のものが好ましいが、それ以外に長方形の紙のサイズを変えることにより、より小さな人形やより大きなヒト型模型の頭部にかぶせることができる。
【実施例２】
【００１１】
本考案は、紙だけでなく、折り紙細工が可能なら二次元の長方形のシート状物質を原材料として用いることができる。原材料の候補としては、プラスチック、金属シート、布などがあげられる。B4版サイズのプラスチックを原材料として作成した折り紙帽子を図10に示してある。
【実施例３】
【００１２】
本考案の特長のひとつは、展開すればもとのシートに戻せるという折り紙の可逆性の特徴を生かすために接着、接合を行わないことであるが、その可逆性を必要としない用途では、帽子に相当すると前頭部、後頭部、もしくはひさしにあたる部分に接合や接着を行ってより強度を向上させつつ、二次元状に折りたためるという特性は保持することができる。図１１はその様子を写真で示したもので、帽子に相当すると前頭部の左右２箇所がステープラーで接合されているが、帽子としてかぶれるのみならず図１１のように二次元の平面状に折りたたむこともできる。
【実施例４】
【００１３】
本考案は原材料のシートに印刷だけでなく、機能性塗装をほどこすことで、その機能性を折り紙帽子に持たせることもできる。図１２は原材料の紙にあらかじめ撥水性塗装を施して作成した折り紙帽子に水のシャワーを浴びせた後の写真である。撥水性のため水が繊維間に吸収されることなく図１２のLのように水滴状となり表面ではじかれている。この機能性塗装は原材料の状態で行ってもよいし、帽子としての形状獲得後に行ってもよい。また、機能性塗装としては、撥水性だけでなく、吸水性、蛍光性、耐熱性、光応答反応性なども可能である。
【産業上の利用可能性】
【００１４】
この折り紙帽子は人体の保護という面では通常の帽子に劣るが、原材料となる平面状のシートの状態で任意の印刷を施す事ができ、メッセージ性に富んだ帽子の利用が可能となる。すなわち、商品や事故の主張の大衆に対する宣伝に使用できる。また平面上に折りたためることからも多くの人が一気に持ち寄って一斉に被る際などに活用でき、マスゲームなどのイベントに有用であり、イベントなどに活用できる。
【符号の説明】
【００１５】
A,B,C,D,E,F,G,H,I はそれぞれ折り紙細工で対応する点を表す
J ステープラー部
K 代表的な水滴
【図２】
0003209564.tif 000003
【図１】
0003209564.tif 000004
【図３】
0003209564.tif 000005
【図４】
0003209564.tif 000006
【図５】
0003209564.tif 000007
【図６】
0003209564.tif 000008
【図７】
0003209564.tif 000009
【図８】
0003209564.tif 000010
【図９】
0003209564.tif 000011
【図１０】
0003209564.tif 000012
【図１１】
0003209564.tif 000013
【図１２】
0003209564.tif 000014
【手続補正書】
【提出日】平成29年2月3日(2017.2.3)
【手続補正１】
【補正対象書類名】実用新案登録請求の範囲
【補正対象項目名】請求項１
【補正方法】変更
【補正の内容】
【請求項１】
平面状の長方形シートから折り紙細工で作成された帽子形状体において、ひさし部および前頭部に相当する部分を中割折による三角形の重ね構造としかつその端部を折り込み構造とすることで、新たな素材を付加することなく折り紙細工を用いて補強と展開防止機能を持たせた、ヒトがかぶっても解けない折り紙帽子。